(57)【要約】      （修正有）【課題】装置全体の省スペース化を実現する画像処理装置及び情報処理装置を提供する。【解決手段】ＵＳＢ規格に基づく記録媒体及び挿入型の記録媒体を収納するための空間を形成する、第１の面Ａと第２の面Ｂとを含む凹部を有する画像処理装置であって、前記ＵＳＢ規格に基づく記録媒体のＵＳＢ差込部１８は、前記第１の面Ａに形成され、挿入型の記録媒体の挿入型差込部は、前記第２の面Ｂに形成され、前記ＵＳＢ差込部１８における差込方向は、前記挿入型差込部における差込方向と直交又は略直交となる画像処理装置。【選択図】図２
2008167002.tif 000002
【特許請求の範囲】
【請求項１】
ＵＳＢ規格に基づく記録媒体及び挿入型の記録媒体を収納するための空間を形成する、第１の面と第２の面とを含む凹部を有する画像処理装置であって、
前記ＵＳＢ規格に基づく記録媒体のＵＳＢ差込部は、前記第１の面に形成され、挿入型の記録媒体の挿入型差込部は、前記第２の面に形成され、
前記ＵＳＢ差込部における差込方向は、前記挿入型差込部における差込方向と直交又は略直交となることを特徴とする画像処理装置。
【請求項２】
前記第１の面と前記第２の面は、直交又は略直交することを特徴とする請求項１に記載の画像処理装置。
【請求項３】
当該画像処理装置はディスプレイ及び／又は操作キーを有する操作部を有し、
前記凹部は、該操作部に設けられることを特徴とする請求項１又は２に記載の画像処理装置。
【請求項４】
前記記録媒体を保護する保護カバーを前記凹部に設けたことを特徴とする請求項１乃至３のいずれか一項に記載の画像処理装置。
【請求項５】
前記保護カバーをロックするためのロック機構を有することを特徴とする請求項４に記載の画像処理装置。
【請求項６】
前記操作部は、ＵＳＢ差込部を可動にするための可動機構を備えていることを特徴とする請求項３乃至５のいずれか一項に記載の画像処理装置。
【請求項７】
前記可動機構は、前記ＵＳＢ差込部が前記第１の面上の水平方向を回転軸として上下方向を回動する機構であることを特徴とする請求項６に記載の画像処理装置。
【請求項８】
前記可動機構は、前記ＵＳＢ差込部が前記第１の面上の鉛直方向を回転軸として水平方向を回動する機構であることを特徴とする請求項６に記載の画像処理装置。
【請求項９】
前記保護カバーの開閉指示を入力する入力手段と、前記保護カバーの開閉動作を制御する第１の制御手段と、前記可動機構の動作を制御する第２の制御手段を有し、
前記入力手段により前記保護カバーを開く指示が入力されると、前記第１の制御手段は前記保護カバーを開状態に制御し、前記第２の制御手段は、前記ＵＳＢ規格に基づく記録媒体の差込部が、前記ＵＳＢ規格に基づく記録媒体の挿抜を容易に行える位置にくるように制御することを特徴とする請求項６乃至８のいずれか一項に記載の画像処理装置。
【請求項１０】
前記入力手段により前記保護カバーを閉じる指示が入力されると、前記第２の制御手段は、前記ＵＳＢ規格に基づく記録媒体が前記凹部に収納されるように制御し、前記第１の制御手段は前記保護カバーを閉状態に制御することを特徴とする請求項９に記載の画像処理装置。  
【請求項１１】
ＵＳＢ規格に基づく記録媒体及び挿入型の記録媒体を収納するための空間を形成する、第１の面と第２の面とを含む凹部を有する情報処理装置であって、
前記ＵＳＢ規格に基づく記録媒体のＵＳＢ差込部は、前記第１の面に形成され、挿入型の記録媒体の挿入型差込部は、前記第２の面に形成され、
前記ＵＳＢ差込部における差込方向は、前記挿入型差込部における差込方向と直交又は略直交となることを特徴とする情報処理装置。
【発明の詳細な説明】
【技術分野】
【０００１】
本発明は、画像処理装置及び情報処理装置に関する。
【背景技術】
【０００２】
従来、コピー機能、ファクシミリ（ＦＡＸ）機能、プリント機能及びスキャナ機能を複合したＭＦＰ（Ｍｕｌｔｉ  Ｆｕｎｃｔｉｏｎ  Ｐｅｒｉｐｈｅｒａｌ）と称されるデジタル複合機が提供されている（例えば、特許文献１参照）。
【０００３】
このようなデジタル複合機によれば、手書き文書や紙の資料を電子化し、ネットワークで共有・活用することが可能になっている。即ち、このようなデジタル複合機は、ネットワーク上の一端末として位置づけられている。
【０００４】
更に、上記デジタル複合機には、外部との情報のやり取りのためにリムーバブルメモリメディアのリーダー/ライター部を有しているモデルもある。近年、デジタルカメラ等の一時記憶媒体としてリムーバブルメモリメディアは多く使われており手軽さから一時保存だけでなく情報の受け渡しにもよく使われている。
【特許文献１】特開２００４−３５６８２２号公報
【発明の開示】
【発明が解決しようとする課題】
【０００５】
しかしながら、リムーバブルメモリメディアのリーダー/ライター部を設置すると画像処理装置全体の床面積が大きくなってしまうという問題がある。特にこれを操作等に設置する場合においては、排紙の視認性を確保するため装置の正面から背面方向を小型化することが求められる。
【０００６】
本発明は、上記の点に鑑みて、この問題を解消するために発明されたものであり、装置全体の省スペース化を実現する画像処理装置及び情報処理装置を提供することを目的とする。
【課題を解決するための手段】
【０００７】
上記の目的を達成するために、本発明の画像処理装置は、ＵＳＢ規格に基づく記録媒体及び挿入型の記録媒体を収納するための空間を形成する、第１の面と第２の面とを含む凹部を有する画像処理装置であって、前記ＵＳＢ規格に基づく記録媒体のＵＳＢ差込部は、前記第１の面に形成され、挿入型の記録媒体の挿入型差込部は、前記第２の面に形成され、前記ＵＳＢ差込部における差込方向は、前記挿入型差込部における差込方向と直交又は略直交となるように構成することができる。これにより、装置全体の省スペース化を実現する画像処理装置を提供することができる。
【０００８】
また、上記の目的を達成するために、本発明の画像処理装置では、前記第１の面と前記第２の面は、直交又は略直交するように構成することができる。これにより、当該画像処理装置において、ＵＳＢ規格に基づく記録媒体及び挿入型の記録媒体を収納するための空間である凹部が直交又は略直交する２つの面を有する場合に、装置全体の省スペース化を実現する画像処理装置を提供することができる。
【０００９】
また、上記の目的を達成するために、本発明の画像処理装置は、ディスプレイ及び／又は操作キーを有する操作部を有し、前記凹部は、該操作部に設けられるように構成することができる。これにより、操作部において記憶媒体を用いたデータの読み書きを行うことが可能であるので、ユーザの操作性向上を実現することができる。
【００１０】
また、上記の目的を達成するために、本発明の画像処理装置は、前記記録媒体を保護する保護カバーを前記凹部に設けるように構成することができる。これにより、例えばデータの読み書き中に記憶媒体の抜き取りができないようにすることができる。即ち、データの安全性を確保すると共に装置全体の省スペース化を実現することができる。
【００１１】
また、上記の目的を達成するために、本発明の画像処理装置は、前記保護カバーをロックするためのロック機構を有するように構成することができる。これにより、データの安全性をさらに向上させることができる。
【００１２】
また、上記の目的を達成するために、本発明の前記操作部は、ＵＳＢ差込部を可動にするための可動機構を備えているように構成することができる。これにより、挿入型の記憶媒体の挿抜時に、挿入型の記憶媒体がＵＳＢ規格に基づいた記憶媒体と干渉する可能性を防ぎ、ユーザの操作性を向上させることができる。  
また、上記の目的を達成するために、本発明の前記可動機構は、前記ＵＳＢ差込部が前記第１の面上の水平方向を回転軸として上下方向を回動する機構であるように構成することができる。これにより、挿入型の記憶媒体の挿抜時に、挿入型の記憶媒体がＵＳＢ規格に基づいた記憶媒体と干渉する可能性を防ぎ、ユーザの操作性を向上させることができる。
【００１３】
また、上記の目的を達成するために、本発明の前記可動機構は、前記ＵＳＢ差込部が前記第１の面上の鉛直方向を回転軸として水平方向を回動する機構であるように構成することができる。これにより、挿入型の記憶媒体の挿抜時に、挿入型の記憶媒体がＵＳＢ規格に基づいた記憶媒体と干渉する可能性を防ぎ、ユーザの操作性を向上させることができる。
【００１４】
また、上記の目的を達成するために、本発明の画像処理装置は、前記保護カバーの開閉指示を入力する入力手段と、前記保護カバーの開閉動作を制御する第１の制御手段と、前記可動機構の動作を制御する第２の制御手段を有し、前記入力手段により前記保護カバーを開く指示が入力されると、前記第１の制御手段は前記保護カバーを開状態に制御し、前記第２の制御手段は、前記ＵＳＢ規格に基づく記録媒体の差込部が、前記ＵＳＢ規格に基づく記録媒体の挿抜を容易に行える位置にくるように制御するように構成することができる。これにより、ユーザはカバーを開く際に可動機構の動作を意識することない。そのため、ユーザ操作性をより向上させることができる。
【００１５】
また、上記の目的を達成するために、本発明の画像処理装置は、前記入力手段により前記保護カバーを閉じる指示が入力されると、前記第２の制御手段は、前記ＵＳＢ規格に基づく記録媒体が前記凹部に収納されるように制御し、前記第１の制御手段は前記保護カバーを閉状態に制御するように構成することができる。これにより、ユーザはカバーを閉じる際に可動機構の動作を意識することない。そのため、ユーザ操作性をより向上させることができる。
【００１６】
また、上記の目的を達成するために、本発明の情報処理装置は、ＵＳＢ規格に基づく記録媒体及び挿入型の記録媒体を収納するための空間を形成する、第１の面と第２の面とを含む凹部を有する情報処理装置であって、前記ＵＳＢ規格に基づく記録媒体のＵＳＢ差込部は、前記第１の面に形成され、挿入型の記録媒体の挿入型差込部は、前記第２の面に形成され、前記ＵＳＢ差込部における差込方向は、前記挿入型差込部における差込方向と直交又は略直交となるように構成することができる。これにより、装置全体の省スペース化を実現す情報処理装置を提供することができる。
【発明の効果】
【００１７】
本発明の画像処理装置及び情報処理装置によれば、装置全体の省スペース化を実現することができる。
【発明を実施するための最良の形態】
【００１８】
以下、本発明を実施するための最良の形態を各実施形態において図面を用いて説明する。
［第１の実施形態］
（装置の概要）
まず、本発明の前提として本実施形態１に係る画像処理装置の概要について図１を用いて説明する。図１は、本実施形態１に係る画像処理装置の概要を示す図である。図１に示される画像処理装置は、コピー機能、ファクシミリ（ＦＡＸ）機能、プリント機能及びスキャナ機能を複合したＭＦＰ装置を示している。なお、ＭＦＰ装置に限らず、その他の画像処理装置及び画像形成装置であってもよいものとする。
【００１９】
図１において、ＭＦＰ（画像処理装置）１は、スキャナ２、原稿搬送部３、画像形成部４、給紙部５、排紙部６、操作部１０等を有する。
【００２０】
スキャナ２は、コンタクトガラス或いはＡＤＦ（Ａｕｔｏ  Ｄｏｃｕｍｅｎｔ  Ｆｅｅｄｅｒ）等の原稿搬送部３に載置された原稿を電子データとして読み取る装置である。画像形成部４は、スキャナ２により読み取られた電子データをもとに電子写真プロセスにより後述の給紙部５から搬送された転写紙に対して画像を形成する。なお、画像形成部４は、図示しない感光体ドラム、帯電チャージャ、光書き込み器、現像ユニット、転写チャージャ、定着部等により構成される。
【００２１】
給紙部５は、給紙トレイに載積された転写紙を後述の画像形成部４に搬送する機構を備えた装置である。排紙部６は、画像形成部４から排出されてくるコピーを排紙する。操作部１０は、ユーザがダイアログ方式で設定条件やスタートの入力操作を行うためのキー、表示器等により構成される。操作部１０の詳細説明は、図２〜１２を用いて後述する。
【００２２】
以上の装置の構成により、画像処理装置１では、スキャナ２において原稿は電子データとして読み取られる。次に画像形成部４は、スキャナ２において読み取られた電子データをもとに、給紙部５から搬送されてきた転写紙に画像を形成する。画像が形成された転写紙、即ちコピーが施された転写紙は、排紙部６により排紙される。なお、操作部１０は、ユーザが各種設定を行ったり各種情報を表示したりするためのマンマシンインタフェース部である。
【００２３】
また、本実施形態１に係る画像処理装置１では、ユーザがＵＳＢメモリ及びＳＤカードメモリ等の記憶媒体（リムーバブルメモリメディア）を、当該画像処理装置１の図示しないリムーバブルメモリメディアのリーダー/ライター部と接続することにより記憶媒体により記憶された画像等のデータに基づいて画像処理を行うことができる。
【００２４】
このとき、リムーバブルメモリメディアはリムーバブルメモリメディアのリーダー／ライター部のコネクタに直接差して使用されるため、ユーザは物理的には自由に抜き差し可能である一方、アクセス中に抜き取るとデータ破損やＯＳの動作に支障をきたすということが懸念される。そのため、例えば操作部１０等にリムーバブルメモリメディアを収納するための空間である凹部を設け、リムーバブルメモリメディアのリーダー／ライター部を操作部１０と一体化することにより操作部１０の小型化が実現される。
【００２５】
以降、このようなリムーバブルメモリメディアのリーダー／ライター部が操作部１０に設けられた場合の操作部１０の構成例について図面を用いて説明する。なお、リムーバブルメモリメディアのリーダー／ライター部が設けられるのは操作部１０に限らないものとする。操作部１０以外のスペースであってもよい。
【００２６】
（操作部１０の構成概要）
次に、本実施形態１に係る画像処理装置における操作部１０の構成例について図２を用いて説明する。図２は、本実施形態１に係る画像処理装置における操作部１０の構成例を示す図である。
【００２７】
本実施形態１に係る画像処理装置では、図２に示される操作部１０において後述する操作キー１３の手前方向に凹部が形成されている。凹部は、２つの面（ここでは、略鉛直な第１の面Ａ及び第２の面Ｂ）を含んでいる空間である。凹部は、ＵＳＢメモリ等のＵＳＢ規格に基づく記録媒体及びＳＤカードメモリ等の挿入型の記録媒体（リムーバブルメモリメディア）を収納するための空間である。このような記憶媒体の読み書きを行うための装置としてのリムーバブルメモリメディアのリーダー／ライター部１４は、操作部１０と一体化している。詳細構成については以降説明を行う。
【００２８】
図２において、操作部１０は、操作パネル１１、アプリケーションキー１２、操作キー１３、リムーバブルメモリメディアリーダー／ライター部１４、カバー１６、カバーオープンボタン１７等により構成される。
【００２９】
操作パネル１１は、ユーザが各種設定を行い、又、各種情報を表示するためのタッチパネルディスプレイである。アプリケーションキー１２は、コピー機能、プリンタ機又はスキャナ機能等の機能を切り替えるためのキーである。操作キー１３は、印刷枚数を指定するテンキー、印刷のリセットを行うためのリセットキー、印刷開始を指示するためのスタートキー等のキーである。
【００３０】
リムーバブルメモリメディアリーダー／ライター部１４は、ＳＤカードメモリ及びＵＳＢメモリ等のリムーバブルメモリメディアに記憶されたデータを読み書きするための装置である。図２においてはリムーバブルメモリメディアを差し込むための差込部についてのみ示されている。カバー１６は、ＵＳＢメモリ１５等の記録媒体を保護する保護カバーである。カバーオープンボタン１７は、カバー１６の開閉等を行うためのボタンである。
【００３１】
以上の装置の構成により、本実施形態１に係る操作部１０では、操作キー１３の手前方向に凹部が形成されている。凹部は、２つの面Ａ及びＢを含んでいる空間である。また、ＵＳＢメモリ等のＵＳＢ規格に基づく記録媒体及びＳＤカードメモリ等の挿入型の記録媒体を収納するための空間である。
【００３２】
図２に示されるように、ＵＳＢメモリ１５及びＳＤカードメモリ等のリムーバブルメディアの読み書きを行う装置であるリムーバブルメモリメディアリーダー／ライター部１４を操作部１０と一体化し、且つ、リムーバブルメモリメディア差込部（挿入口）を操作部１０の凹部に収納している。
【００３３】
これにより、操作部１０自身の小型化を実現している。即ち、リムーバブルメモリメディアリーダー／ライター部１４を設ける事による画像処理装置１全体の床面積の大型化を防ぎ、装置全体の小型化を実現している。また、操作パネル１１及び操作キー１３等を用いた各種操作と記録媒体を用いたデータの読み書きとを操作部１０において行うことが可能であるので、ユーザの操作性向上を実現している。
【００３４】
また、凹部において記録媒体を保護するカバー１６を設けることにより、例えばリムーバブルメモリメディアリーダー／ライター部１４を用いたデータの読み書き中にＳＤカードメモリ及びＵＳＢメモリ１５等のリムーバブルメモリメディアの抜き取りができないようにすることができる。即ち、リムーバブルメモリメディア内のデータの安全性を確保している。
【００３５】
また、図２に示されるように操作部１０に取り付けられているＵＳＢメモリ差込部１８は、カバー１６内で横向きに設置されている。ここで横向きとは、画像処理装置１の正面から背面方向を縦方向とした場合の該縦方向に垂直な方向を示している。これにより、ＵＳＢメモリ１５が大きい場合でも、操作部１０の凹部の空間内（カバー１６内）に収まり、操作部１０自体の小型化が可能となっている。なお、横向きは上記の場合に限らないものとする。横向きとは、画像処理装置１の左側面から右側面の方向を縦方向とした場合の該縦方向に垂直な方向を示していてもよい。
【００３６】
更に、ＵＳＢメモリ１５の差込部であるＵＳＢ差込部１８は、面Ａに形成され、ＳＤカードメモリ等の挿入型の記憶媒体の差込部である挿入型差込部１４は、面Ｂに形成され、ＵＳＢ差込部１８における差込方向は、挿入型差込部１４における差込方向と直交又は略直交とすることにより、以下に掲げる効果を奏する。
【００３７】
その効果とは、ＵＳＢメモリ１５のように、Ｉ／Ｆコネクタ部は規格化されているが、全体形状は規格化されていないメディアに対し、メディア形状が大型の場合であっても操作部１０の凹部の空間内に収めることができ（カバー１６を閉じることができ）、データの安全性を確保すると共に、画像処理装置１全体の空間の有効活用を実現していることである。
【００３８】
以上で示されるように、本実施形態１に係る画像処理装置１の操作部１０において、ＵＳＢメモリ１５等のＵＳＢ規格に基づく記録媒体とＳＤメモリ等の挿入型の記録媒体を収納するための空間を有効活用することにより、画像処理装置全体の省スペース化を実現している。
【００３９】
なお、本実施形態１では、凹部は、２つの面Ａ及びＢを含んでいる空間であると説明した。しかしながら、ＵＳＢメモリ等のＵＳＢ規格に基づく記録媒体及びＳＤカードメモリ等の挿入型の記録媒体（リムーバブルメモリメディア）を収納するための空間であればこの場合に限らないものとする。また、該空間が記憶媒体を収納する以外の目的をもっていてもよいものとする。
【００４０】
また、本実施形態１では、凹部において第１の面Ａ、第２の面Ｂは、それぞれ略鉛直な面であるように構成した。しかしながら、面Ａと面Ｂが直交又は略直交する面であればこの場合に限らないものとする。これにより、当該画像処理装置において、ＵＳＢ規格に基づく記録媒体及び挿入型の記録媒体を収納するための空間である凹部が直交又は略直交する２つの面を有する場合に、装置全体の省スペース化を実現することができる。
【００４１】
また、カバー１６には、例えばソレノイド等を用いたロック機構が設けられているロック機構は、リムーバブルメモリメディアとのデータのアクセス中にはカバー１６をロックすることにより意図しないリムーバブルメモリメディアの抜き取りを防止し、さらにデータの安全性を高めることができる。ロック機構については、公知の技術を用いてよい。
【００４２】
［第２の実施形態］
次に、本実施形態２に係る画像処理装置について図３を用いて説明を行う。本実施形態２に係る画像処理装置の概要は、実施形態１に係るそれと同様であるとしてここでは説明を省略する。
【００４３】
（操作部１０の構成概要）
次に、本実施形態２に係る画像処理装置における操作部１０の構成例について図３を用いて説明する。図３は、本実施形態２に係る画像処理装置における操作部１０の構成例を示す図である。
【００４４】
前述の本実施形態１に係る画像処理装置では、操作部１０において２つの面Ａ、Ｂを含む凹部は図２に示されるように形成されていた。ここでは、図３で示されるようにＵＳＢメモリの挿抜方向側の壁が削除されている別の実施形態をしている。
【００４５】
このような形状により、実施形態１に加えて以下に掲げる効果を奏する。その効果とは、ＵＳＢ差込部１８が横向きであるため、ＵＳＢメモリの大きさによっては挿抜時に抜き取り（差し込み）方向の壁（差込部の対面）が挿抜の妨げとなるという問題があるが、このような問題を解消し、ＵＳＢメモリ挿抜時の妨げがなく、ユーザ操作性を向上させるという効果を奏する。
【００４６】
本実施形態２では、ＵＳＢメモリの挿抜方向側の壁が削除されているが、凹部の形状は本実施形態２及び前述の実施形態１の場合に限らない。ユーザ操作性を向上させること及び空間の有効活用等のためにその他の形状をとりうるものとする。
【００４７】
［第３の実施形態］
次に、本実施形態３に係る画像処理装置について図４〜６を用いて説明を行う。前述の実施形態１及び２では、ＵＳＢ差込部１８における差込方向と挿入型差込部１４における差込方向とを直交又は略直交とすることにより、操作部１０の小型化による空間の有効活用を実現した。
【００４８】
この際、ＳＤカードメモリ等の挿入型の記憶媒体の挿抜時には、挿入型の記憶媒体がＵＳＢメモリ自身と干渉する可能性があり、ＵＳＢメモリを抜かなくてはならない等の点が懸念される。ここでは、ＵＳＢメモリ差込口を可動にすることにより、上記の点を解決しユーザ操作性を向上させることを目的とする実施の形態について説明を行う。なお、本実施形態３に係る画像処理装置の概要は、実施形態１に係るそれと同様であるとしてここでは説明を省略する。
【００４９】
（操作部１０の構成概要）
次に、本実施形態３に係る画像処理装置における操作部１０の構成例について図４〜６を用いて説明する。図４は、本実施形態３に係る画像処理装置における操作部１０の構成例を示す図である。図５は、本実施形態３に係る画像処理装置における可動機構の例を示す図である。図６は、本実施形態３に係る画像処理装置における可動機構の動作例を示す図である。
【００５０】
図４で示される操作部１０の構成は、ＵＳＢ差込部１８を除いて図２で示されるそれと同様であるので説明を省略する。ここでは、操作部１０は、ＵＳＢ差込部１８を可動にするための可動機構を備えている。これにより、図４のようにＵＳＢ差込部１８は図中の矢印方向に回転駆動することが可能となっている。続いて図５を用いて可動機構の詳細例について説明を行う。
【００５１】
図５は、図４における操作部１０を画像処理装置１の上面から見た際の機構の例を示している。図５において、操作部１０には、ＵＳＢ差込部１８を格納するための空間が設けられている。更に、操作部１０には、ＵＳＢ差込部１８を可動にするための円形の稼働支持部１０１が設けられている。稼働支持部１０１は空洞となっており、後述のＵＳＢメモリコネクタ１０２からケーブル等の導通が可能となっている。
【００５２】
ＵＳＢメモリコネクタ１０２は、ＵＳＢメモリ１５を差込むための差込口であり、前述の稼働支持部１０１により支持されるよう実装されている。
【００５３】
以上で示される可動機構により、ＵＳＢ差込部１８は、稼働支持部１０１により形成される稼働中心軸（図中の点線部分）を軸として回転稼働することにより可動になっている。そのため、挿入型の記憶媒体の挿抜時には、図４のようにＵＳＢ差込部１８を回避させて挿入型の記憶媒体の挿抜を行い、ＵＳＢメモリ１５を収納する時には、図６のようにＵＳＢ差込部１８を動かすことにより収納することが可能になる。
【００５４】
このようにＵＳＢ差込部１８を可動にすることにより、同スペースに配置されている他のリムーバブルメモリメディアの挿抜を妨げることがないようにすることができる、即ちユーザ操作性を向上させることができる。例えば、ＳＤカードメモリ等の挿入型の記憶媒体の挿抜時には、挿入型の記憶媒体がＵＳＢメモリ自身と干渉する可能性があり、ＵＳＢメモリを抜かなくてはならない等の点を解決することができる。
【００５５】
また、稼働支持部１０１において空洞が形成されることにより、ＵＳＢコネクタから操作部１０内部に実装されている図示しないコントローラ部へ電気的接続がなされることが可能である。
【００５６】
なお、本実施形態３においては、図５のように操作部１０にはＵＳＢ差込部１８を格納するための空間が設けられていて、該空間内でＵＳＢ差込部１８を可動にするための可動機構が形成されているが、この場合に限らない。面Ａの外側方向、即ち凹部において上記の稼働機構が形成されてもよいものとする。
【００５７】
また、本実施形態３で示されるＵＳＢ差込部１８を可動にするための可動機構の適用範囲は上記の場合に限らない。該可動機構は、当該画像処理装置１の凹部でない所定の位置に設けられてもよいし、挿入型差込部１４が設けられていない画像処理装置等に対して設けられてもよい。前述のいずれの場合にも、本発明に係る可動機構がＵＳＢ差込部１８に対して設けられ、ＵＳＢ差込部１８が可動になることにより、ＵＳＢメモリを差し込みやすくなり従ってユーザ操作性を向上させるという効果を奏することができる。
【００５８】
また、図４及び図６で示される可動機構は、当該画像処理装置１の面Ａ上の水平方向を回転軸（図５では点線で示される稼働中心軸）として上下方向を回動する機構であるが、この場合に限らない。別の実施形態について後述の第４の実施形態において説明を行う。
【００５９】
［第４の実施形態］
次に、本実施形態４に係る画像処理装置について図７、８を用いて説明を行う。本実施形態４に係る画像処理装置の概要は、実施形態１に係るそれと同様であるとしてここでは説明を省略する。前述の第３の実施形態に係る可動機構は、当該画像処理装置１の面Ａ上の水平方向を回転軸として上下方向を回動する機構であった。ここでは、別の可動機構、即ち図７で示されるように面Ａ上の鉛直方向を回転軸として水平方向を回動する機構であるについて説明を行う。
【００６０】
（操作部１０の構成概要）
次に、本実施形態４に係る画像処理装置における操作部１０の構成例について図７及び８を用いて説明する。図７は、本実施形態４に係る画像処理装置における操作部１０の構成例を示す図である。図８は、本実施形態４に係る画像処理装置における可動機構の動作例を示す図である。
【００６１】
図７において、操作部１０は、ＵＳＢ差込部１８を可動にするための可動機構を備えている。これにより、図７のようにＵＳＢ差込部１８は図中の矢印方向に回転駆動することが可能となっている。なお、可動機構の構成例については前述の実施形態３と同様（図５参照）のものであるとしてここでは説明を省略する。
【００６２】
以上で示される可動機構により、挿入型の記憶媒体の挿抜時には、図７のようにＵＳＢ差込部１８を回避させて挿入型の記憶媒体の挿抜を行い、ＵＳＢメモリ１５を収納する時には、図８のようにＵＳＢ差込部１８を動かすことにより収納することが可能になる。
【００６３】
このようにＵＳＢ差込部１８を可動にすることにより、ＵＳＢ差し込み部１８を可動にすることにより、同スペースに配置されている他のリムーバブルメモリメディアの挿抜を妨げることがないようにユーザ操作性を向上させることができる。さらに、本実施形態４に係る可動機構を用いれば、ＵＳＢメモリ１５の挿抜方向が手前側であるため、ユーザ操作性をより向上させることが可能になる。なお、手前とは、本画像処理装置を操作するユーザの立つ側と言い換えてもよい。
【００６４】
［第５の実施形態］
次に、本実施形態５に係る画像処理装置について図９〜図１１を用いて説明を行う。なお、本実施形態５に係る画像処理装置の概要は、実施形態１に係るそれと同様であるとしてここでは説明を省略する。
【００６５】
（操作部１０の構成概要）
次に、本実施形態５に係る画像処理装置における操作部１０の構成例について図９〜１１を用いて説明する。図９は、本実施形態５に係る画像処理装置における操作部１０の構成例を示す図である。前述の実施形態４では、操作部１０は、ＵＳＢ差込部１８を可動にするための可動機構を備えていた。ここでは、可動機構が、カバー１６の開閉に連動する例について説明を行う。これを実現するための画像処理装置１の機能構成及び動作フローについて図１０、１１を用いて順に説明する。
【００６６】
（機能の構成）
まず、可動機構が、カバー１６の開閉に連動することを実現するための機能の構成について図１０を用いて説明を行う。図１０は、本実施形態５に係る画像処理装置の機能ブロック図である。図１０において、画像処理装置１は、入力手段２１０、第１の制御手段２２０、第２の制御手段２３０、全体制御手段２４０を有する。
【００６７】
入力手段２１０は、カバー１６の開閉指示を入力する。例えば、カバーオープンボタン１７等である。第１の制御手段２２０は、カバー１６の開閉動作を制御する。第２の制御手段２３０は、可動機構の動作を制御する。全体制御手段２４０は、前述の入力手段２１０、第１の制御手段２２０、第２の制御手段２３０の動作などを制御する。以上の機能の構成により、本実施形態５に係る画像処理装置１では、可動機構がカバー１６の開閉に連動する。連動する動作については後述の動作例において説明する。
【００６８】
（動作例）
次に、可動機構がカバー１６の開閉に連動する動作例について図１１を用いて説明する。図１１は、本実施形態５に係る画像処理装置１の動作フローを示す図である。
【００６９】
ここでは、入力手段２１０としてのカバーオープンボタン１７がユーザ操作により押下されると、カバー１６を開く際には、自動でカバー１６が開き、その動作に連動してＵＳＢ差込部１８は手前方向の所定の位置（ここでは、ＵＳＢメモリ１５の挿抜を容易に行える位置）にくるように制御される。また、カバー１６を閉じる際には、ＵＳＢ差込部１８が収納位置（ＵＳＢメモリ１５が凹部に収まる位置）に移動し、その動作に連動してカバー１６は閉じられるように制御される。
【００７０】
図１１を用いてそれらの動作を説明する。まず、入力手段２１０は、ユーザ操作によりカバー１６の開閉指示を入力する（Ｓ１０１）。次に、ステップＳ１０２へ移って、全体制御手段２４０は、入力手段２１０により入力されたカバー開閉指示に基づいて開指示か否かを判定する（Ｓ１０２）。開指示であると判定すると（Ｓ１０２、ＹＥＳ）、ステップＳ１０３へ移る。開指示でないと判定すると（Ｓ１０２、ＮＯ）、ステップＳ１０５へ移る。
【００７１】
ステップＳ１０３へ移った場合、第１の制御手段２２０は、カバー１６を開くよう制御する（Ｓ１０３）。続いてステップＳ１０４へ移って、第２の制御手段２３０は、可動機構を動作させ、ＵＳＢ差込部１８がＵＳＢ１５の挿抜を容易に行える位置（図７参照）にくるように制御し（Ｓ１０４）、処理を終了する。
【００７２】
ステップＳ１０５へ移った場合、第２の制御手段２３０は、可動機構を動作させ、ＵＳＢ差込部が収納位置（図８のようにＵＳＢメモリ１５が凹部に収まる位置）に移動するように制御する（Ｓ１０５）。続いてステップＳ１０６へ移って、第１の制御手段２２０は、カバー１６を閉じるよう制御し（Ｓ１０６）、処理を終了する。
【００７３】
以上で示される動作により、本実施形態５に係る画像処理装置１では、入力手段２１０としてのカバーオープンボタン１７がユーザ操作により押下されると、カバー１６をオープンする際には、自動でカバー１６がオープンし、その動作に連動してＵＳＢ差込部１８は手前方向の所定の位置（ここでは、ＵＳＢメモリ１５の挿抜を容易に行える位置）にくるように制御される。また、カバー１６をクローズする際には、ＵＳＢ差込部１８が収納位置（ＵＳＢメモリ１５が凹部に収まる位置）に移動し、その動作に連動してカバー１６はクローズするように制御される動作を行う。
【００７４】
ここで、前述の実施形態４において示した画像処理装置１では、ＵＳＢ差込部１８は可動ではあるが、ユーザ自身がＵＳＢメモリ挿抜時に手動でＵＳＢ差込部１８を手前方向に移動する必要があった。これに対し、本実施形態５に係る画像処理装置１では、カバー１６は、必要時に自動でオープン／クローズする。即ち、ＵＳＢ差込部１８の可動がカバー１６の開閉に連動しているので、ユーザが可動を意識することないためユーザ操作性をより向上させることができる。
【００７５】
なお、ユーザがＵＳＢメモリ差込み後にＵＳＢ差込部１８をカバー１６内部に戻さなければカバークローズの妨げとなる。ＵＳＢメモリ挿抜時はカバーオープン時に限られているので、ＵＳＢメモリ挿入口の可動はカバーの動作に連動している方が望ましい。また、以上示してきたＵＳＢ差込部１８と可動機構の連動動作は、前述の実施形態３に係る画像処理装置に対しても適応可能である。
【００７６】
［第６の実施形態］
次に、本実施形態６に係る画像処理装置について図１２を用いて説明を行う。本実施形態６に係る画像処理装置の概要は、実施形態１に係るそれと同様であるとしてここでは説明を省略する。前述の実施形態１〜５では、カバー１６は、ＵＳＢメモリ１５等の記録媒体を保護する保護カバーとしての役割を果たしていた。しかしながら、ＵＳＢメモリ１５は、ストラップ等をつけて管理しされる場合がある。ＵＳＢメモリ１５自身にストラップが付いているとき、ＵＳＢメモリ１５へのデータ読み出し／書き込み処理を行う際、即ちカバーがクローズされる場合に、ストラップがカバー内に入らずカバークローズの妨げとなる。ここでは、図１２に示されるようにＵＳＢメモリ１５の形状に合わせてカバー１６の形状を変更可能にすることにより、更なるユーザ操作性の向上を実現する。
【００７７】
（操作部１０の構成概要）
本実施形態６に係る画像処理装置における操作部１０の構成例について図１２を用いて説明する。図１２は、本実施形態６に係る画像処理装置における操作部１０の構成例を示す図である。図１２に示されるようにカバー１６には、ＵＳＢメモリ１５のストラップの通し穴が設けられている。これにより、ＵＳＢメモリ１５にストラップ等が付けられた場合においても、そのストラップを通し穴に通すことによりカバー１６が正常にクローズされ、カバークローズ検知をトリガとしてＵＳＢメモリへのデータ読み出し／書き込み処理を実施する場合でも問題なく処理が行われる。
【００７８】
なお、本実施形態６は、ＵＳＢメモリ１５にストラップが付けられている場合について説明を行ってきたが、この場合に限らない。全体形状が規格化されていないＵＳＢメモリのような記憶媒体は、その形状には種々のパターンが考えられる。これら種々のパターン１５に応じてカバー１６の形状は形成されてよい。
【００７９】
以上、各実施形態に基づき本発明の説明を行ってきたが、本発明の適用範囲はＭＦＰ等の画像処理装置に限らない。ＵＳＢメモリ等の差込んでも記憶媒体の本体が外部に突出している突出型の記憶媒体及びＳＤカードメモリ等の差し込むと記憶媒体の本体が内部に挿入されてしまう挿入型の記憶媒体等のリムーバブルメモリメディアを用いた情報のやり取りのために、リムーバブルメモリメディアのリーダー/ライター部を有しているＰＣ、家電装置、カーナビ装置、ゲーム装置等の情報処理装置に対しても本発明は適用可能である。
【００８０】
以上、各実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００８１】
【図１】本実施形態１に係る画像処理装置の概要を示す図である。
【図２】本実施形態１に係る画像処理装置における操作部１０の構成例を示す図である。
【図３】本実施形態２に係る画像処理装置における操作部１０の構成例を示す図である。
【図４】本実施形態３に係る画像処理装置における操作部１０の構成例を示す図である。
【図５】本実施形態３に係る画像処理装置における可動機構例を示す図である。
【図６】本実施形態３に係る画像処理装置における可動機構の動作例を示す図である。
【図７】本実施形態４に係る画像処理装置における操作部１０の構成例を示す図である。
【図８】本実施形態４に係る画像処理装置における可動機構の動作例を示す図である。
【図９】本実施形態５に係る画像処理装置における操作部１０の構成例を示す図である。
【図１０】本実施形態５に係る画像処理装置の機能ブロック図の例である。
【図１１】本実施形態５に係る画像処理装置の動作フロー例を示す図である。
【図１２】本実施形態６に係る画像処理装置における操作部１０の構成例を示す図である。
【符号の説明】
【００８２】
１  画像処理装置
１０  操作部
１６  カバー
１８  ＵＳＢ差込部
２１０  入力手段
２２０  第１の制御手段
２３０  第２の制御手段
２４０  全体制御手段
【図１】
2008167002.tif 000003
【図２】
2008167002.tif 000004
【図３】
2008167002.tif 000005
【図４】
2008167002.tif 000006
【図５】
2008167002.tif 000007
【図６】
2008167002.tif 000008
【図７】
2008167002.tif 000009
【図８】
2008167002.tif 000010
【図９】
2008167002.tif 000011
【図１０】
2008167002.tif 000012
【図１１】
2008167002.tif 000013
【図１２】
2008167002.tif 000014